(57)【要約】【課題】建物の天井下地におけるハンガーの野縁受取付け構造に関し、地震等による揺れ振動に対しても十分な保持固定強度が確保できるハンガーの野縁受取付け構造を提供することを課題とする。【解決手段】建物の天井から吊り下げられ、下部に断面Ｕ字状の野縁受け部３２が設けられたハンガー４と、上記野縁受け部３２に保持される野縁受け６と、上記野縁受け６を保持する野縁受け部３２の両上部を外側から挟む状態で両挟持片２４，２４を差し込み、これら挟持片２４，２４の端部同士を固定ボルト２０で締結して上記野縁受け部３２を締め付けて野縁受け６を挟持固定するハンガー固定具１２と、を有する構造である。【選択図】  図１
2008025271.tif 000002
【特許請求の範囲】
【請求項１】
建物の天井から吊り下げられ、下部に断面Ｕ字状の野縁受け部が設けられたハンガーと、
上記野縁受け部に保持される野縁受けと、
上記野縁受けを保持する野縁受け部の両上部を外側から挟む状態で両挟持片を差し込み、これら挟持片の端部同士を固定ボルトで締結して上記野縁受け部を締め付けて野縁受けを挟持固定するハンガー固定具と、を有することを特徴とするハンガーの野縁受取付け構造。
【請求項２】
上記ハンガー固定具は、基部の両側から平行状に２本の挟持片が形成され、両挟持片の端部は斜め上方に屈曲して上記固定ボルトの締結部が形成されたことを特徴とする請求項１記載のハンガーの野縁受取付け構造。
【請求項３】
上記締結部は偏平な板状に形成され、この内の一方の締結部には上記固定ボルトの軸が挿通する孔部が設けられ、他方の締結部には、上記固定ボルトの軸が螺合される螺孔が設けられたことを特徴とする請求項２記載のハンガーの野縁受取付け構造。
【発明の詳細な説明】
【技術分野】
【０００１】
本発明は、建物の天井下地におけるハンガーの野縁受取付け構造に関する。
【背景技術】
【０００２】
従来、特許文献１に野縁受けの取付け構造に係る発明が開示されている。この野縁受けの取付け構造は図６に示すように、野縁受け６０を野縁受けハンガー６２の保持部６４に取付け、野縁受けハンガー６２の垂下片６６の背面と野縁受け６０の上水平片６８とを野縁受け固定具７０で連結して固定するものである。この発明によれば、野縁受け６０に荷重がかかっても固定具７０で荷重を支えるので、野縁受け６０は倒れず、また固定具７０の取付けもワンタッチであり施工性、信頼性に優れるというものである。
【０００３】
また、特許文献２には、固定用金具を用いて吊り下げ金具本体に桁材を引っかけて固定した吊り下げ金具についての記載がある。この吊り下げ金具は、桁材を吊り下げる金具本体にボルトの貫通用孔をあけることなく桁材を吊り下げることができ、また使用に際し締めつけ工具等を必要としないため作業が簡単に行なえるというものである。
【０００４】
特許文献３に記載の、天井野縁受け吊り下げ装置用のハンガーの発明によれば、受け部の外側壁部上端に切欠溝を形成する一方、本体部に形成した広がり阻止片を表側へ引き起こして上記切欠溝に係止させるように構成したことで、作業が簡単且つ容易に行なえるというものである。
【０００５】
【特許文献１】特開平８−１３６８２号公報
【特許文献２】実公昭４１−２４０６１号公報
【特許文献３】特開平７−２０７８０９号公報
【発明の開示】
【発明が解決しようとする課題】
【０００６】
さて、上記特許文献１に記載の発明は、ハンガー６２の保持部６４に固定具７０を係着する構造であるため、地震等の強い振動により固定具７０が変形して係止個所が緩んだり或いは固定具７０が離脱することが懸念され、場合によっては、ハンガー６２から野縁受け６０が外れて天井が落下する虞があるという問題がある。特許文献２及び３に記載の取付け構造についても、固定用金具、広がり阻止片を係着により取付ける構成であるため、特許文献１と同様な問題がありえる。
【０００７】
本発明は、上記問題点に鑑みてなされたものであり、地震等による揺れ振動に対しても十分な保持固定強度が確保できるハンガーの野縁受取付け構造を提供することを目的としている。
【課題を解決するための手段】
【０００８】
以上の技術的課題を解決するため、本発明に係るハンガーの野縁受取付け構造は、図１に示すように、建物の天井から吊り下げられ、下部に断面Ｕ字状の野縁受け部３２が設けられたハンガー４と、上記野縁受け部３２に保持される野縁受け６と、上記野縁受け６を保持する野縁受け部３２の両上部を外側から挟む状態で両挟持片２４，２４を差し込み、これら挟持片２４，２４の端部同士を固定ボルト２０で締結して上記野縁受け部３２を締め付けて野縁受け６を挟持固定するハンガー固定具１２と、を有する構成である。
【０００９】
本発明に係るハンガーの野縁受取付け構造において、上記ハンガー固定具１２は、基部の両側から平行状に２本の挟持片２４，２４が形成され、両挟持片の端部は斜め上方に屈曲して上記固定ボルト２０の締結部２６，２６が形成された構成である。
【００１０】
本発明に係るハンガーの野縁受取付け構造において、上記締結部２６，２６は偏平な板状に形成され、この内の一方の締結部２６には上記固定ボルト２０の軸が挿通する孔部２８が設けられ、他方の締結部２６には、上記固定ボルト２０の軸が螺合される螺孔３０が設けられた構成である。
【発明の効果】
【００１１】
本発明に係るハンガーの野縁受取付け構造によれば、野縁受け部が設けられたハンガー、野縁受け部に保持される野縁受け、及び野縁受け部の両上部を外側から挟む状態で両挟持片を差し込み、これら挟持片の端部同士を固定ボルトで締結して野縁受け部を締め付けて野縁受けを挟持固定するハンガー固定具と、を有する構成を採用したから、ハンガーによる野縁受けの保持固定が強固かつ確実に行えるので、地震等の揺れ、振動によっても野縁受けがハンガーから外れることがなくなって耐震補強が行なえ、またハンガー固定具の取り付けも簡単で施工も容易に行えるという効果がある。また、既存の天井下地構造についても、ハンガー固定具を取り付けることで簡単に耐震補強が行なえるという効果がある。
【００１２】
本発明に係るハンガーの野縁受取付け構造によれば、ハンガー固定具の両挟持片の端部は斜め上方に屈曲する締結部が形成された構成としたから、固定ボルトの締結の際に工具が操作し易くまた押え板部の締め付けも適切に行なえるという効果がある。
【発明を実施するための最良の形態】
【００１３】
以下、本発明の実施の形態を図面に基づいて説明する。
図１は、天井における下地部材の取付け構造を示したものである。この下地部材の取付け構造は、天井スラブに吊ボルト２を介して吊り下げられるハンガー４、これらハンガー４に水平状に取り付けられる野縁受け６、これら野縁受け６とは直交方向に配置される野縁８、野縁８を野縁受け６に取り付けるクリップ１０、及び天井ボード９を有する構成である。さらにハンガー４の野縁受取付け構造は、上記ハンガー４に野縁受け６を挟持固定するハンガー固定具１２を取付けた構成である。
【００１４】
図２に示すように、上記ハンガー固定具１２は、全体がコの字形状の挟持部１４と、頭部１６と螺子が刻設された軸部１８からなる固定ボルト２０とを有する。上記挟持部１４は端部を除いて断面円形状であり、基部２２の両側から同一方向かつ平行状に２本の挟持片２４，２４が設けられ、各挟持片２４，２４の端部近傍は斜め上方に屈曲形成され、かつ各挟持片の端部には上記固定ボルトの軸と直交する面が形成された偏平な板状の締結部２６，２６を有する。
【００１５】
そして、上記一方の締結部２６の端部には上記固定ボルト２０の軸部１８が挿通する孔部２８が設けられ、他方の締結部２６の端部には、上記固定ボルト２０の軸部１８が螺合される螺孔３０が設けられている。
【００１６】
上記ハンガー４は図３に示すように、垂直な基板部３４の上端部は水平に屈曲された取付部３６が形成され、基板部３４の下部には上記取付部３６とは反対向きに野縁受け部３２が屈曲形成されている。この野縁受け部３２は、基板部３４から延設された後板部３５、この後板部３５の下端から水平向きに受板部３７が屈曲形成され、さらに上方向きに押え板部３８が屈曲形成された断面Ｕ字状の形状である。
【００１７】
そして上記押え板部３８の上部には、一部が後板部３５側に膨出しかつ端部が前方に屈曲した形状の屈曲係止片３９が形成されている。また、後板部３５の上部には基板部３４との間に、上記屈曲係止片３９と向い合う位置に上記押え板部３８側に膨出した屈曲係止部４０が形成されている。
【００１８】
上記吊ボルト２は棒状で全体に螺子が刻設され、天井スラブに埋設されたインサートにはこの吊ボルト２の一端部が螺着される。また、ハンガー４の取付部３６の中央に設けた挿通孔４２には吊ボルト２の下端部が挿通され、上記取付部３６の上下部位からそれぞれナット４４を螺合して吊ボルト２に取付部３６が固定される。
【００１９】
上記野縁受け６は、上面部５０、側面部５２及び下面部５４を有するチャンネル状（断面コの字）の長尺材であり、鋼板又はステンレス板からなる。上記野縁８は、略チャンネル形状の長尺材であり、これは底部５６とこの底部５６の両側端から立ち上がる左右の側部５８，５８を有し、両側部５８，５８の上端には、それぞれ内向きから下方に向け鉤状に屈曲する屈曲部が向かい合う状態で形成されている。この野縁８の材料としては、鋼材或いは軽量金属等が用いられる。
【００２０】
施工の際には、図１に示すように、建物天井から吊ボルト２を介して吊り下げたハンガー４の野縁受け部３２で野縁受け６を保持する。このハンガー４は、受板部３７で野縁受け６を支持した状態で、基板部３４の屈曲係止部４０と押え板部３８の屈曲係止片３９によって野縁受け６の上部が係止され、併せて押え板部３８のバネ力により野縁受け６が押圧保持される。このようにして、上記野縁受け６は、所定の間隔でハンガー４に係止保持される。
【００２１】
このため上記野縁受け６は、通常の環境下においてはハンガー４の野縁受け部３２により一定の保持力で保持係着された状態にある。しかし、地震等による振動が発生した場合には、天井の揺れによってハンガー４と野縁受け６との間にすべりが発生し、また野縁受け部３２の押え板部３８が変形して開きが発生し、このため野縁受け部３２が緩み或いはハンガー４から野縁受け６が外れるおそれがある。
【００２２】
このような上記ハンガー４の耐震補強を行うために、この実施の形態においては、ハンガー固定具１２を用いて野縁受け６を固定する。図４は、上記ハンガー固定具１２を取り付ける途中の状態を示したものである。このとき、ハンガー固定具１２のコの字形状の挟持部１４の挟持片２４，２４を、ハンガー４の屈曲係止部４０と屈曲係止片３９とを外側から挟む状態でスライドさせて差し込む。そして上記ハンガー固定具１２により、野縁受け６の上部が係止保持されるハンガー４の屈曲係止部４０と、押え板部３８の屈曲係止片３９とを両挟持片２４で挟持する。
【００２３】
さらに図５に示すように、各挟持片２４，２４の端部に設けられた締結部２６，２６同士を固定ボルト２０で締結し、押え板部３８を締め付けて野縁受け６を挟持固定する。このとき、締結部２６，２６は斜め上方に屈曲形成され且つ固定ボルト２０の軸と直交する偏平な板状に形成されているため、工具が操作し易くまた押え板部３８の締め付けも適切に行なえる。このハンガー固定具１２により、ハンガー４の野縁受け部３２に保持される野縁受け６が四方から完全に囲まれて固定され、このため野縁受け６が地震等の振動揺れによりハンガー４の上下方向、水平方向の動きから外れないように耐震補強が行なえる。
【００２４】
上記ハンガー４によって野縁受け６を次々保持固定し、所定の間隔をおいて平行状かつ水平に野縁受け６を配設する。そして、各野縁受け６と直交する向きに野縁８を配置し、クリップ１０を用いて野縁受け６と交差する位置で野縁８を支持固定する。上記クリップ１０は、両係止片を野縁８のチャネル溝内に突入させ、クリップを回して各係止片を野縁８の屈曲部に係止させ、爪片部を折り曲げてクリップ１０を野縁受け６に固定する。野縁８の配設後は、天井ボード９を野縁８に取り付けて天井を仕上げる。
【００２５】
次に、既存の天井下地構造における耐震補強の施工について説明する。
ここでは、上記と同様な野縁受け６を上記と同様なハンガー４に保持係止した既存の天井下地構造に対して、これを耐震補強する。この場合においても、野縁受け６は、ハンガー４の押え板部３８により押圧され、屈曲係止部４０と屈曲係止片３９とにより挟持係止されており、これに新たに上記ハンガー固定具１２を取り付ける。
【００２６】
この場合も上記と同様に、ハンガー固定具１２のコの字形状の挟持部１４の挟持片２４，２４を、上記屈曲係止部４０と押え板部３８の屈曲係止片３９とを外側から挟む状態で差し込む。そして、各挟持片２４，２４の端部に設けられた締結部２６，２６同士を固定ボルト２０で締結して押え板部３８を締め付けて野縁受け６を挟持固定する。このハンガー固定具１２の取付けにより、ハンガー４に保持される野縁受け６が強固に固定され地震等の振動で外れないように耐震補強が行なえる。この場合、ハンガー４への孔あけ、ビス打ちなどは一切なく、上記ハンガー固定具１２のハンガー４への取付け構造も簡単であり作業性も良い。
【００２７】
従って、上記ハンガーの野縁受取付け構造によれば、ハンガーによる野縁受けの保持固定が強固かつ確実に行えるので、地震等の揺れ、振動によっても野縁受けがハンガーから外れることがなくなって耐震補強が行なえ、またハンガー固定具の取り付けも簡単で施工も容易に行なえる。また、上記ハンガーを用いた既存の天井下地構造についても、ハンガー固定具を取り付けることで簡単に耐震補強が行なえる。
【図面の簡単な説明】
【００２８】
【図１】本発明の実施の形態に係るハンガーの野縁受取付け構造の斜視図である。
【図２】実施の形態に係るハンガー固定具を示す図である。
【図３】実施の形態に係るハンガーの斜視図である。
【図４】実施の形態に係り、ハンガーにハンガー固定具を取り付ける途中の状態を示す斜視図である。
【図５】実施の形態に係り、ハンガーにハンガー固定具を取り付けた状態を示す斜視図である。
【図６】従来例に係る野縁受けの取付け構造を示す斜視図である。
【符号の説明】
【００２９】
４  ハンガー
６  野縁受け
８  野縁
１２  ハンガー固定具
２０  固定ボルト
２４  挟持片
２６  締結部
３２  野縁受け部
【図１】
2008025271.tif 000003
【図２】
2008025271.tif 000004
【図３】
2008025271.tif 000005
【図４】
2008025271.tif 000006
【図５】
2008025271.tif 000007
【図６】
2008025271.tif 000008